(57)【要約】自動収集パイプラインの排出及び固体廃棄物の再生利用のための方法および装置は促進的投下、自動収集、排出輸送や再生可能なリサイクルを実現するために企図されている。方法は以下のステップで構成されています。固形廃棄物を選別、コレクターに固体廃棄物を入れ、それぞれ固形廃棄物を流動化、パイプラインを通して流動廃棄物を排出し、ポリパッケージなしで均一な廃棄物を得て、工場やメタン生成プールをリサイクルする流動廃棄物を輸送し、メタンを生産と汚泥は、肥料のために脱水。装置は、固形廃棄物を流動化複数のコレクタを備えており、地域の部屋（１６）装置を管理することができます。
2012521293.tif 000002
【特許請求の範囲】
何が主張されていることです：
１．方法および装置自動収集パイプラインの排出及び固形廃棄物、促進投下から生成される固形廃棄物の再生利用のため、自動的に収集し、排出、長距離輸送、再生可能なリサイクルのための取得ユニフォーム＆シンプレックスコンポーネントの廃棄物の粒子とジャムは、次の手順および装置を備えるの：
固体廃棄物自動収集パイプラインの排出及び削除ポリパッケージのための方法および装置から生成固形廃棄物促進的投下、自動的に収集、排出、長距離輸送、再生可能なリサイクルのための取得ユニフォーム＆シンプレックスコンポーネントの廃棄物の粒子とジャム，の次の手順および装置で構成されています。
ポリ、紙および生物分解廃棄に固形廃棄をソート；
ドロップと自動的に赤外線センサー蓋自動オープンアセンブリ屋内（１）と屋外（２）とコレクタを流動化、複数の固形廃棄物を設定することにより、固形廃棄物の収集促進する。
それぞれのコレクターの流動化、複数の固形廃棄物の指定容器に廃棄物を入れて。
コレクターの流動化、複数の固形廃棄物の容器に媒体を比例。
それぞれ乾燥流動化粒子とダクトパイプラインの排出と輸送を満たすためにウェット流動ジャムの両方にガス状媒質と均整の液体媒体の両方で、コレクタの固形廃棄物を流動化；
それぞれ流動物を排出。ダクト配管（３）を介して、ポンプと吸引は、地域の収集タンク（４）に入る流動廃棄物の粒子とジャムを排出，それは均一、シンプレックスコンポーネントの廃棄物の粒子とポリパッケージなしのジャムを取得します。
加工工場（１４）、（１５）をリサイクルするために、それぞれパイプラインを通じ流動ポリ廃棄物、紙の廃棄物を運搬、流動生分解性廃棄物の粒子とメタンのメタンのプール（７）にジャムを輸送。スラッジは、地下と表面の両方灌漑用ファームと庭（１２）に輸送される，汚泥は有機肥料のための重力圧縮フィルタ脱水槽（１０）で脱水される。
自動的に、システムを管理する，地域の管理の部屋に（１６）プロセスとシステムを管理
２．請求項１に記載の発明の装置、コレクタ構成の流動化、複数の固形廃棄物：
廃棄物の収集及び預金の容器、廃棄物の容器（２０１）；
廃棄物廃棄システムを容易にする，自動洗浄と脱臭アセンブリ（２０２）、安全な電源スイッチとふた自動オープン赤外線センサアセンブリ（２０３）、足のステップのオープナー（２１２）、蓋（２０６）、消音（２１０）、ショックアブソーバ（２１３）；
自動管理システム，メインボード、遠隔制御システム＆情報交換アセンブリ（２０４）、及タイマー（２０５）；
自動メディアの割合のシステム，自動水の割合のアセンブリ（２０７）、及び重量センサ（２１１）；
流動化システムを無駄に，複数の柔軟な弓形のクロスセクションブレード（２０８ａ）、粉々にボール（２０８ｂ）、等角な回転シャフト（２０８ｃ）、ディスク（２０８ｄ）に固定された、複数の等角固定回転垂直ブレード（２０８ｅ）、インデントエッジとセレーションの表面研削ディスク（２０８ｆ）、複数の等角固定、柔軟なバッフル＆カット（２０８ｇ）、ローは、カットとスクリーン（２０８ｈ）をインデント，それは複数のメカニズムジャムフリー、廃棄物流動化アセンブリ（２０８）、形成さ；
流動廃棄物排出システム，ポンプ、真空吸引器室（２０９）と（５１０）、自動出口弁（２１５）、オーガタイプのデポ（２１６）と（５１１）；
駆動システムは、モータ（２１４）；
作業条件適応するシステム、ヒーター（２１７）。
３．請求項１に記載の発明の装置は、流動廃棄物の輸送パイプラインは、管理ハウスの制御することにより、パイプラインの空き時間を共有するために生活排水のパイプラインの最後に設定されたスイッチで構成されています
４．方法および請求項１記載の装置、流動廃棄物の輸送方法は、構成
（Ａ）独立したメタン生成プールにパイプを介して流動廃棄物を排出、プールの接続パイプを介して収集したメタン、
（Ｂ）流動廃棄物を収集するコレクターを接続してパイプを介して地域のタンクに廃棄物を排出、リサイクル工場に流動廃棄物を輸送。
５．請求項１に記載の発明の装置は、コレククを流動化、複数の固形廃棄物は、側オーガタイプのデポと直接オーガタイプのデポの両方を含む。側オーガタイプのデポでは、複数のメカニズムのジャムは無料、アセンブリを流動化する複数の柔軟な弓形のクロスセクションブレード（５０２）、回転可能なシャフト（５０３）、ディスク（５０４）、回転カットリング（５０５）、固定ふるいのリング（５０６）、鋸歯状表面研磨ディスク（５０７）、複数の等角固定、弾性なバッフル＆カット（５０８）、複数の等角固定回転垂直ブレード（５０９）から構成さ。無料の複数のメカニズムのジャム、デポートオーガー型ダイレクトでは、アセンブリ（２０８）流動化する（２０８ｄ）ディスク上に固定されて粉々に複数の柔軟な弓形のクロスセクションブレード（２０８ａ）、等角なボール（２０８ｂ）、回転可能なシャフトを（２０８ｃ）、複数の等角垂直ブレード（２０８ｅ）、インデントのエッジとセレーションの表面研削ディスク（２０８ｆ）、複数の等角固定、柔軟なバッフル＆カット（２０８ｇ）、下をカットインデントとふるい（２０８ｈ）を回転させ固定、から構成さ。複数のメカニズムジャムフリー流動化アセンブリの部品は、指定された使用のために簡素化し、改革することができます。
６．請求項１に記載の発明の装置、コレクタを流動化、複数の固形廃棄物、複数の廃棄物流動コレクターの二つ以上が不均一なソートされた固形廃棄物を流動化のために組み合わせることができます。複数の廃棄物流動コレクタの部品が簡素化し、指定された使用のために改質することができます。
７．請求項１に記載の発明の装置、重力は、フィルタ脱水槽を圧縮、フィルタ壁（４０３）、排水コレクタ（４０４）、ホルダー、脱臭気チャンバー（４０５）、メタンのコレクタ（４０７）、フィルタ円弧のリンクジョイント（４０６）、及び保持枠（４０８）を備える。
【発明の詳細な説明】
【技術分野】本発明、自動収集パイプラインの排出及び固体廃棄物の再生利用のための方法および装置、それは自動的に収集、排出、輸送、リサイクルのための均一なシンプレックスの廃棄物、再生可能エネルギーの利用、、ポリ材料の汚染を排除腐りかかった廃棄物汚染、排除および削減する温室効果ガスを得ること、固形廃棄物、促進投下にも関する。
ＩＰＣ：Ａ４７，Ｂ０９Ｂ，Ｆ０４，Ｆ１５
背景のアート：
自動収集パイプラインの排出及び固体廃棄物の再生利用のための方法および装置は、固体のすべての種類は、自動的にコレクションを無駄に、排出と長距離輸送、リサイクルのために均一なシンプレックスの廃棄物を得、固形廃棄物汚染、ポリ材料の汚染を除去し、廃棄物の利用から利益を生成するそれが到達するように設計されています。
廃棄物処理は、住民、自治体、産業界にとって大きな課題です。それは、毎年ゴミの百万トンを収集するコストと時間です。環境へのリスクは、我々はそれを処分方法に関係なくはありません。理想的な状況ではない廃棄物を作成しないことですが、それは行うことは困難です。本発明はここに、、効果的な静かで安全な方法と、このような問題に対処するための装置を構築することです。固形廃棄物のすべての種類を自動的に収集、排出と輸送を実現し、最終的に制御下にあるすべての問題を作っている廃棄物再生可能エネルギーの利用から利益を得るために。
一般的に、廃棄物は生分解性廃棄物とに分解廃棄物に分けることができます。生分解性廃棄物は腐敗です。それは私たちの環境と生活空間を汚染する。それは、臭気を生成する病気に感染し、メタン、重要な温室効果ガスのいずれかを生成します。今では、家庭、企業や世界の産業界からの固形廃棄物の現在のプロセスがまだ採用しているポリ袋、マニュアルクリーンでパッケージ化し、指定されたコレクター、ドアの収集への扉、にそれを入れて、指定された容器に固形廃棄物を入れ車両は、指定された処分場に輸送。それは時間がかかり、無駄なエネルギー、資源、そして不便です。それは、廃棄物のポリ包装材に由来する二次汚染を、生成する。家庭とのユニット廃棄物のほとんどは、腐敗、生分解性であるが、それはリサイクルすることができます。腐敗であることのため、それは空間を生きて、そして病気の感染の汚染を引き起こす。今では、生分解性固体廃棄物のほとんどは、臭気、浸出水や汚染を防ぐためにポリパッケージの袋に入れています。ある程度で、それは収集と輸送に簡単ですが、それは深刻な汚染を引き起こす自然環境に入る廃棄物のパッケージによって非常に汚染されたポリ素材を引き起こします。のためのポリ素材は自然の中で安定であり、細菌による腐敗ができませんでした。それは、一般廃棄物の汚染を悪化させる世界に蓄積する。一般的には、ポリ廃棄物のほとんどは、ソートすることでリサイクルすることができる家庭や産業から来ている。生分解性廃棄物は、あまりにもリサイクルすることができます。しかし、生分解性廃棄物をパッケージ化するポリを使用すると、両方のポリと生分解性廃棄物のクロスコンタミネーションを引き起こす、と一般廃棄物の要素と成分が複雑になります。それは、資源と環境に対するリスクの浪費を引き起こすそのリサイクルにソートするにはあまりにも困難で、非常に困難です。
このような都市廃棄物の現在の処分は、埋立、焼却と堆肥です。そのような処分のすべては、堆肥、リサイクルするために少し金額を除いて、汚染物質の移動です。彼らは排除の世界でそのような廃棄物を完成されていないため、埋立地や焼却は、汚染物質の転送です。例えば、埋め立てが唯一の都市から埋立地に廃棄物を輸送するプロセスです。埋立地は、温室効果ガス、臭気及び浸出水、地球温暖化、大気汚染に寄与し、地下水、地表水を汚染し、コストの多くの土地を生成します。焼却炉は、時には慎重に制御された条件下で廃棄物を燃焼するために使用されます。彼らは処分の許容可能な形態ですが、どちらかの完璧なソリューションではありません。次は埋め立てのいずれかで処分、またはそれらが有毒である場合、有害廃棄物施設でする必要があります。燃焼ごみはまた、酸性雨、オゾン層破壊や大気汚染への寄与を避けるために高価な大気汚染防止装置で処理する必要があります。酸性ガス、二酸化炭素や有害化学物質を生成します。堆肥は、臭いの原因となり、大規模な汚染されたプラスチックはあまりにも一般廃棄物のパッケージから来て蓄積することができます。
現在、以下の研究、特許と論文は、固体廃棄物を自動収集し、排出、処分及び固体廃棄物の完全除去の効果的な解決策を与えることができるがある。そこに特許や研究の芸術がありますが、それらのほとんどは、廃棄物の分別、破砕との転送に限られ。例えば、生ゴミや排水路のクローゼットの廃棄物のジャム用に限られ、食品廃棄物やクローゼットの廃棄物の処分、、約特許はあまりにも汚染の転送です。すべての生分解性固体廃棄物は、異なるサイズ、剛性およびコンポーネントを持っている。洗いおけの下に設定された食品廃棄物やクローゼットの廃棄物処理業者、ギャレーのシンクだけでなく、ｓｐｉｔｔｏｏｎｓが小さい生ゴミやクローゼットの廃棄物の破砕に限られているが、彼らはすべてのため、バルクサイズとハード固形廃棄物、大きなサイズを、カットして研磨することが困難です。食べ物は新鮮な水の大消費して、リソースを浪費し、廃棄物の水の増加を引き起こす公共の排水システムへのフラッシュは残っているのです。それは、排水中に固形廃棄物を転送し、困難な浄化であることのために汚染を悪化させる。ディスポーザーはまた、骨などのハード食品廃棄物に起因する簡単なメカニズムのジャムです。
食品廃棄物のオンサイト処理法、米国特許第７１０８７８８は、このような排水のコレクタ、廃棄物別室のような大規模な余分なスペースを必要としています。それは困難家庭や事業単位で実装することだけです。プロセスの廃水は、まだ精製に多くの困難を引き起こし、汚染を悪化させる都市下水システムに排水です。
特許、ＣＮ１８６８９３３Ａ及びＪＰ２０００−０２４６３０Ａは、異なる技術分野から来る。特許台所廃棄物のプロセスのため、排泄物や廃棄物の水を増やす生活排水と地面のゴミを置くＪＰ２０００−０２４６３０Ａは、、、廃棄物の汚染を悪化させる固形廃棄物の価値を低減し、プロセスのコストを増加させる。発酵メタンは、長期的なプロセスであるため、ＪＰ２０００−０２４６３０Ａは、広く実践ではない、それは長い時間がかかります。大規模な混合廃棄物の液体はメタン生成の発酵の要件を満たすために大規模な設備を必要とするはず、コストが高くなります。同じ時間では、排泄物や生活排水と混合廃棄物は、メタンの生成率を削減生物の濃度を、希釈し、そして削減、廃棄物の価値を失ってまで描く。ＣＮ１８６８９３３Ａの焦点はするエネルギーや資源のための更新廃棄物は一般的な知識であり、エネルギーをリニューアル。さらに、ＣＮ１８６８９３３Ａは、廃棄物のソースの欠如です。今日は、広く固体廃棄物をパッケージ化するポリ素材を使用し、廃棄物につながる価値を失い、埋立しなければならない廃棄物の成分の複雑なので、それは、シンプレックスのコンポーネントの廃棄物を得ることは困難です。ＣＮ１８６８９３３Ａは、廃棄物のリソースが不足の場合は、それはそれは難しい広く実施することにつながります。
自動的に、ダンプの収集、排出、固形廃棄物の輸送、及び固形廃棄物が再生可能にし、廃棄物の利用から利益を生成する、従来技術で遭遇するような問題を克服するために均一＆シンプレックスコンポーネントの廃棄物を得、促進的投下に到達することを目指して、ここに温室効果ガスの削減、ポリパッケージ材料の汚染の除去、および腐りかかった固体廃棄物に、効果的な方法と安全な装置を設計された本発明は、自動的にリサイクルのためのユニフォーム＆シンプレックスコンポーネントの廃棄物を取得、削除。それは、新鮮な水を節約する排水を減らすこと、生分解性廃棄物の汚染を制御する、所有者の責任を軽減する、所有者の利便性を提供すること、そしてエネルギーと利益の潜在的な源を提供し、悪臭を制限することの付随的な利点を提供します。
要約：
本発明は、自動収集パイプラインの排出及び固形廃棄物の再生利用のための方法および装置は、あらゆる種類の固形廃棄物の自動収集、排出、長距離ユニフォーム＆運搬や取得を達成するために、実現可能な効果的かつ安全な手順と装置を企図する更新用のシンプレックスコンポーネントの廃棄物を。設計された手順は以下を含む：
ポリ、紙と一般廃棄物リサイクルプログラムのラベルを応じて生分解性廃棄物に分別；
コレクターは、屋内と屋外の流動化、複数の結合された固形廃棄物を設定することで、ドロップダウンの促進；
それぞれのコレクターの流動化、複数の固形廃棄物の対応するコンテナにソートされた廃棄物を入れて；
複数の固形廃棄物の流動化のコレクターの容器に媒質をプロポ；
ガス状媒質とパイプライン輸送を満たすために、それぞれのとれた液体媒質の両方で固形廃棄物を流動化；
地域の生分解性廃棄物からポリパッケージを削除し、均一＆シンプレックスコンポーネントの廃棄物の粒子とジャム取得タンクを収集するための接続パイプを介して流動廃棄物を排気する；
パイプライン、リサイクルのために工場を更新するために、それぞれのポリと紙の廃棄物を運搬し、メタンおよび肥料の製造工場への生分解性廃棄物を介して；
メタンは燃料用に精製、汚泥は有機肥料のために脱水、排水、灌漑と排出のために精製；
地域の管理の部屋は、プロセスとシステムを管理します。
手続きのコアは、流動粒子とジャム、ダクトパイプの排出を満たす輸送、および生分解性廃棄物からポリパッケージの材料を除去する目的を達成するために、固体廃棄物のすべての種類を流動化されています。固形廃棄物の流動化のすべての種類を取得するには、本発明は、広くバルクサイズ、および流動性粒子、浮遊粒子やダクト配管の排出と輸送を満たすためにジャムに剛性固体廃棄物を異なるコンポーネントを、流動化するために複数の固形廃棄物流動コレクタを設計した。それは、固形廃棄物の自動化の鍵とリードです。、効果的な安全性と促進的流動プロセス、本発明の装置のいずれかに到達するためには、複数の固形廃棄物流動コレクタは、節水、タイミング、収集、自動廃棄物、流動および自動機械工のジャムのソリューションの高機能に設計されています。コレクタを流動化設計された複数の固体廃棄物の収集、含む自動廃棄物の分別の複数の機能を有し、媒体プロポーショニング、排出及び管理、流動化。それは以下を含む：
廃棄物は収集及び預金容器、廃棄物容器（２０１）；
廃棄物廃棄システムを容易にするのは自動洗浄と脱臭アセンブリ（２０２）、安全に電源スイッチと自動リッドオープナー赤外線センサアセンブリ（２０３）、蓋（２０６）、フットステップのオープナー（２１２）、消音（２１０）とショックアブソーバーで構成さ（２１３）；
自動管理システムは、メインボード、遠隔制御システムと情報交換アセンブリ（２０４）、タイマー（２０５）を備える；
自動培地の割合のシステムは、自動水の割合のアセンブリ（２０７）、重量センサ（２１１）を備える；
流動化システム、ディスク（２０８ｄ）上に固定された等角ある複数の柔軟な弓形のクロスセクションブレード（２０８ａ）、粉々にボール（２０８ｂ）、回転可能なシャフト（２０８ｃ）を、構成する複数のメカニズムジャムフリー廃棄物流動化アセンブリ（２０８）、複数の等角固定を無駄に、回転カットリング（５０５）、セレーション面研削ディスク（２０８ｆ）、複数の等角固定、柔軟なバッフル＆カット（２０８ｇ）を含む垂直ブレード（２０８ｅ）、インデントの端を、、回転が低いカットスクリーン（２０８ｈ）、および固定ふるいをインデントリング（５０６）；
流動廃棄物排出システムは、ポンプ、真空吸引器、吸引室（２０９）、自動出口弁（２１５）、サイドオーガタイプのデポ（５１１）を含む直接オーガタイプのデポ（２１６）、含み；
駆動システムは、モータ（２１４）；
作業条件収納システム、ヒーター（２１７）。
自動収集パイプラインの排出及び固形廃棄物の再生利用のための方法および装置、本発明は、投棄廃棄物を容易に固体廃棄物の汚染を除去するために効果的な方法および装置である、廃棄物の利用の恩恵を生成し、固体廃棄物容易にドロップ、自動的に収集、排出、および輸送を実現。それは、主にポリ材料の汚染、腐敗固形廃棄物汚染と温室効果ガスの排出を排除しています。本発明は、パッケージレスまたはポリパッケージ節水の自由、自動、複数の機能、自動管理型、収集廃棄物、流動化、排出、輸送装置を考案、コレクタを流動化、複数の固形廃棄物、それは粉々に、ガス状媒質とダクト配管とポンプの排出と輸送を満たすために液体媒質を用いたウェット流動ジャムとドライ均一流動化粒子の両方に異なるコンポーネントが、バルクサイズと剛性固形廃棄物を細断処理して挽く。コレクターの流動化、複数の固形廃棄物は、屋内と屋外の設定とダクトパイプを通して、投下の所有者と歩行者を容易にするために安全な電源スイッチと赤外線センサー蓋自動オープンアセンブリ（２０３）を搭載した、ポンプに行く流動廃棄物の粒子とジャムを排出と輸送地域の純粋な、ポリパッケージ無料と均一な廃棄物の粒子とジャムを得るタンクを、集める。それぞれポリ廃棄物とリサイクル、流動生分解性廃棄物の粒子とメタンと化学肥料製造プラントへのジャムのための工場を更新するために、紙の廃棄物を輸送するための農場や庭園では、リソース使用率、バイオ精製とリサイクルを更新。それは、メリット、便利、清潔で、住民、自治体、そして産業界には明らかである。それは、埋め立てやポリ素材の汚染からの温室効果ガス排出量の削減、リソースを節約しています。それは、固形廃棄物の自動化につながります。
固形廃棄物を流動化の目的は、固形廃棄物が流動することです。ユニフォーム、シンプレックスの廃棄物の粒子とジャムを取得、長距離パイプライン輸送を満たすために、それは自動的に排出し、ポリ包装資材を除く固形廃棄物を取得します。
【図面の簡単な説明】図１は、方法、装置及び本発明に係る固体廃棄物の装置の処理手順を示す図である。
図２は本発明によれば、コレクタを流動化、複数の固形廃棄物の断面図である。
図３は、独立した家と、本発明によれば、工業単位のための生分解性固体廃棄物の処理方法の手順を示す図である。
図４は、独立した重力圧縮フィルタ脱水＆メタン室を生成の断面図である。
図５は、コレクタを流動化側オーガタイプのデポに複数の廃棄物の断面図である。
図６は、複数のメカニズムジャムフリー流動化アセンブリの断面図と媒体の循環です。
本発明の詳細説明：
本発明は、自動収集パイプラインの排出及び固形廃棄物の再生利用のための方法および装置、次の手順および装置で構成されています。
１、固形廃棄物の並べ替え；一般的に固体廃棄物は基本的にはポリ素材、紙と生分解性廃棄物が含まれています。下がっている間、組み合わせた複数の固形廃棄物の対応するコンテナに、それぞれの廃棄物を置くことは廃棄物の構成要素を簡素化するためのコレクタを流動化し、リソースを節約するために達する、簡単にプロセスを更新し、環境へのリスクを減らす。それが人気の北米で実践して実装されているため、それが、行うのは簡単です。
２、投下を促進し、自動的に収集。安全な電源スイッチとコレクタを流動化、複数の固形廃棄物の蓋自動オープン赤外線センサアセンブリ（２０３）デザインとコレクタ、台所、工業用ユニットとモールなどの屋内（１）、屋外（２）、流動化、複数の固形廃棄物を設定するなど公共広場、道路側や公園など、それは所有者と、複数の固形廃棄物流動コレクタのコンテナに廃棄物を削除するには、歩行者を容易にするためです。誰か近くの複数の固形廃棄物流動コレクタ、赤外線センサーと、自動的にコレクタの蓋を開き、安全のためのモーターの電源を切って、メイン基板で制御されるリッドオープナーを入れられます。ドロップオフの後、ふたが自動的に閉じ、電源を接続モーターの。コンテナ内の廃棄物が容量または指定されたタイマー、コレクタを流動化するとオンになる複数の固形廃棄物のモーターに蓄積されたときに、メインボードによって制御される重量センサによる重み付け。
３、自動媒体の割合；水を保存するには、排水を減らし、流動廃棄物の粒子とジャムの濃度を増加させる，プロシージャとその装置は、自動メディアのプロポを装備。媒体は気体と液体媒体の両方を含む。流動化プロセスへの水のようなある種の液体媒体を追加すると、廃棄物の粒子とジャムの流動性を増加させるパイプの排気の直径を減少させ、パイプライン建設のコストを削減できますが、それは廃水を増加させることができる。割合の媒体は、プロセスを最適化し、主に水、廃水とコストを削減することができます。水不足の地域の作業条件を満たすために、ガスの媒体を使用すると、排出管の直径が大きい、と液体媒体よりも高いコストを必要とすべきガス媒体流動廃棄物にもかかわらず、水を保存し、排水を排除することができます。
４、自動的にダクトパイプラインの排出と輸送を満たすために均一な固形廃棄物の粒子とジャムに固体廃棄物のあらゆる種類の流動化；固形廃棄物の成分は複雑である。このような繊維、芝生、葉、食品、木材、ポリ、紙や肉などの様々な要素、；異なるサイズ、などのカボチャのような、それはそのような庭のゴミ、食品廃棄物、農業、産業廃棄物と事業ゴミなどのソースの異なる種類の依存ジャガイモとキャベツ、そのような木材、豚肉ボン、牛肉ボン、シェルおよび核小体など、さまざまな剛性。彼らは困難挽く、細断、粉砕すると簡単に原因とメカニズムのジャムです。このような問題を克服するために、本発明は、複数の柔軟な弓形のクロスセクションブレード（２０８ａ）、等角である粉砕ボール（２０８ｂ）、回転可能なシャフトを（スイベルジョイント）（２０８ｃ）、構成する複数のメカニズムジャムフリー廃棄物流動化アセンブリ（２０８）を開発回転カットリング（５０５）、セレーションの表面研削ディスク、鋭い合金の歯が存在する表面に（２０８ｆ）、柔軟なバッフル＆カットを並べた含む垂直ブレード（２０８ｅ）、インデントの端を、回転する、より高いディスク（２０８ｄ）、複数の等角固定に固定複数の等角はコンテナの壁に固定し、低（２０８ｇ）は、固定画面のリング（５０６）を含む、カット画面（２０８ｈ）をインデント。一般的には、固形廃棄物の水分は５０％〜８０％が水地域となっている。粒子の含有量の水が８０％以上の場合、粒子は流体とフローティングになります。水は節約し、手順の後に排水を減らすために、本発明は、水の重量センサーで消費するとメインボードを制御する水の割合のアセンブリを装備。本発明は、異なるユーザーの要件を満たす２つの方法を設計した。一つは、流動ウェット流動または液体媒体であり、限定的にコンテナ内の廃棄物の重量をしたがってプログラムされたメインボードによって制御される水の割合のアセンブリにより、廃棄物の容器内に水や液体媒体を追加し、電源をコレクタのターンを流動発明の複数の廃棄物モーターと駆動する複数のメカニズムジャムフリー流動化アセンブリ（２０８）タンク（４）収集しようとパイプラインを通って、、カット細断、粉砕や選別廃棄物を均一にジャムにして液体媒体をポンプにより排気し、輸送するの。後者は流動化ガス状媒体または乾燥流動化ですが、ここでは水不足の地区で実施することができるため、本発明の複数の廃棄物流動コレクターはまた、ガス状媒体または水なしで固形廃棄物を流動化し、乾燥した流動均一な粒子や高粘度のジャムを得ることができますそれを排気し、パイプラインは、地域の収集タンクに移動を介して真空ポンプ、空気ポンプ、高密度＆粘度ポンプで輸送することができます。運転コストは、液体媒体の流動化、液体ポンプ、配管の輸送よりも高いですが、削減節水と排水です。したがって、開示された方法の流動媒体は気体と液体媒体の両方を含む
流動化手順のコンポーネントと複数の固形廃棄物流動コレクターの部分は、指定された使用のために簡素化し、改革することができます。それは柔らかい固体廃棄物を流動化するために使用されている場合は粉砕ボール（２０８ｂ）がオフに撮影することができます。それはポリ廃棄物を流動化するために使用されている場合は、それがポイントとソフトを溶かす容器に廃棄物を加熱してから、廃棄物を流動化することができます。
発明、それは低温やアウトドアや冬、これでヒーターが柔らかいポリ廃棄するために使用できるように悪天候の状態、でうまく働くことができるため、複数の固形廃棄物は、コレクタを搭載ヒーターを流動化。
水を節約するために、コレクタを流動発明の複数の固形廃棄物は、水の割合のアセンブリを皮肉を言った。
メリットと安全なユーザのための、コレクタを流動発明は、複数の固形廃棄物は、自動クリーン、脱臭気、、安全動作の電源スイッチを低減するノイズ、およびリッドオープナー赤外線センサアセンブリを皮肉を言った。
簡単な放電のための、発明の複数の固形廃棄物流動コレククは直接オーガ型と側オーガタイプのデポの底を装備。
管理可能なため、コレクター装備タイマー、メインボードと遠隔制御システムを流動発明の複数の固形廃棄物。
複数の用途、複数の固形廃棄物流動コレクターの２種以上をそれぞれポリ、紙と生分解性固体廃棄物（２）（図１）流動化するために組み合わせることができます。
地域システムの管理と地域のリモート制御するための、発明の複数の固形廃棄物は、コレクター装備情報交換アセンブリを流動化。
発明の複数の固形廃棄物流動コレクタの動作原理は以下のとおりです，赤外線センサーのリッドオープナーのアセンブリによって容器の蓋を開ける、すべての大きいサイズを入れて、バルクサイズとハード固形廃棄物発明の複数の固形廃棄物流動コレクタのコンテナに、重量センサー、水の割合のアセンブリとメインボードによって流動水の割合や水なしの決定をして。モーターによる駆動、垂直ブレード（２０８ｅ）と柔軟な弓形クロスセクションブレード（２０８ａ）、粉々にボール（２０８ｂ）は、、、カット割れてくずに固形廃棄物を細断処理、大きいサイズの固形廃棄物のブロック柔軟な弓形のクロスセクションブレードとは、ボールを粉砕するときに、彼らは回転可能なシャフトでセンターに戻って切り、楕円を形成したり、エッジをカットし、主に抵抗を減少させるボールを粉砕してディスクをインデント。その後、遠心分離、楕円によって強制的にまたは容易かつ自動的に機構のジャムを壊すことブロックされた廃棄物を切断し、粉砕ディスクをインデント。スクラップは、垂直ブレード（２０８ｅ）で切断し、インデントのエッジ間のギャップ、セレーション面研削ディスク、表面上に搭載合金の歯（２０８ｆ）と柔軟なバッフル＆カットに入るスピン（２０８ｇ）の遠心によって強制的に、どの等角複数のコンテナの壁に固定し、バッフルには、スクラップを強制的に浮くことのできる、流体粒子とジャムにスクラップを研削セレーション面研削ディスクにブロックする。抵抗は、通常の作業条件より高い場合、それは柔軟なバッフルのエッジの弾性によって解放できるメカニズムのジャムを引き起こす可能性のある、柔軟なバッフルのエッジは、簡単に解除することができる弾力性によって上下に行くことを余儀なくされます。廃棄物のスクラップは、バッフルと第二のメカニックのジャムをリリースセレーション面研削ディスクの間でブロック。カットの後、繊維はインデントの端との間のエッジに強制される、セレーション面研削ディスクと低いがカットして均一な浮揚性の、流体粒子とジャムを得るためにフィルターのカットふるいを、インデント。それは側オーガタイプのデポに複数の固形廃棄物流動コレクタ（図５）の場合、繊維は回転カットリング（５０５）と均一な浮揚性の、流体粒子にそれをカットし、フィルタリングする固定ふるいのリング（５０６）に強制されます。とジャム。ポンプ、アスピレーター、吸引室排出し、容器からの粒子とジャムが怒り型の底部のデポに行くとそれが地域のダクトパイプを介してタンクを収集発明の複数の固形廃棄物は、コレクターを流動化接続しようと強制的に搬送する。それはあらゆる汚染されたポリパッケージすることなく均一＆シンプレックス生分解性廃棄物の粒子とジャムを精製し得る。
５、サイトの輸送から、ソートされた流動ポリごみと紙ごみは、更新のために工場や脱水または脱媒体を更新するために輸送することができる、便利な栄養食品廃棄物の粒子とジャムは、リサイクルのための飼料工場、生産タンパク質とバイオ精製に運ばれます。そのような家庭廃棄物、草、葉、産業廃棄物の粒子とジャムのような他の生分解性廃棄物は、メタンや肥料を生産するメタンおよび肥料の製造工場に運ばれます。設定地域の住宅街に戦車を収集し、サイトがソートや輸送、プロセスのシステムのキャパシティを管理するため、収集が容易です。収集タンクが処分場から離れている場合、廃棄物の粒子とジャムは、ポンプと車両とダクトパイプの両方で輸送することができます。
６、自動地域の管理と公共自治体の施設の共有。コレクターの流動化、複数の固形廃棄物の廃棄物排出時間を制御することによって、パイプライン建設のコストを削減するために現在の市の排水パイプを共有するために設計された本発明。発明の固形廃棄物は、コレクタを流動化し、コンセントまたは現在の地方自治体の排水のパイプラインの最後にスイッチを設定することで情報交換アセンブリのセットを介して。慎重に制御し、地域の管理の部屋の監視の下で地域の自治体の排水パイプラインの空き時間に、コレクターは、同じ時間で、地方自治体の排水パイプに流動均一な廃棄物の粒子とジャムを排出流動化、複数の固形廃棄物は排水パイプの出口で設定されたスイッチをオンにし、地域の収集タンクに行く廃棄物の粒子とジャムを行っています。ときに排水パイプを掃除してから、都市廃水システムに戻ってスイッチをオンに生活排水を使用して、終了。地域の管理の部屋を設定すると、輸送の容量とプロセスのシステムを効果的に管理し、大量のリソースを最適化することができます。
７、リサイクルと利用。来源とコンポーネントによって流動化粒子とジャムのソート、ポリごみと紙ごみは、リサイクルのために工場を更新して輸送される。このような食品産業廃棄物として有用な栄養食品廃棄物は、、レストラン、台所のごみは、蛋白質リサイクルやワーム、カタツムリや水泳の繁殖など、バイオ精製のために飼料工場に運ばれる可能性。流動生分解性廃棄物の粒子とジャムは、燃料を更新するため、メタンを生成するメタンや肥料製造プラントに行くことができます。それは非常にエネルギーの源としての流動化粒子とジャムを使用し、温室効果ガスを排除しています。殺菌した後、汚泥は灌漑のためにファームに移送することができます。それは独立した家、産業とビジネスユニットである場合、汚泥を直接灌漑のために裏庭と庭に輸送することができます。削減と吸収臭気、に対して，本発明は、効果的に臭気を除去することができる芝生や水生植物の根の下に行く汚泥を行う地上の水路で、地下灌漑や水生植物浄化システムを開発した。独立したメタンのプールから発生するメタンガスは、パイプラインを介して収集することができます。汚泥は、有機肥料と燃料のさらなる炭化のために脱水槽に圧送することができます。本発明は、廃棄物の汚泥脱水プロセスの大量を満たすために重力圧縮脱水槽を設計した。巨大な円柱のような重力の圧縮脱水チャンバーは、内部の布フィルターの壁、フレームと外装脱臭気の壁で構成されています。それは、共同で一緒にリンクされている複数の取り外し可能なフィルターの円弧により形成される。汚泥は重力で圧迫シリンダー、水に注入されています。乾燥後、フィルタ円弧を削除し、肥料のための汚泥を取り出す。汚泥は、高温で燃料を炭化することができます。重力の圧縮脱水を使用すると、主にプロセスのシステムの運用コストを削減する可能性があります。
８、省コストです。方法および装置の部品の処理手順が簡略化され、指定された使用のために改質することができます。例えば，独立住宅、農村や低密度人口地域のための、流動廃棄物の粒子とジャムは、直接、独立したメタン生成プールに排出することができる、パイプラインを通じて収集メタン、汚泥は、灌漑のためにヤードおよび庭をバックアップするために輸送される。それは、パイプライン建設のコストを削減するための独立したリサイクルと浄化システムを形成する。パイプラインの排出流動廃棄物は、冬の証拠を必要とするため、直径はメタンのそれより大きく、建設費は、メタンのそれよりも、それぞれ高くなっています。それはバルクサイズと研削柔らかい固体廃棄物に対するものである場合、複数の廃棄物流動コレクタの一部は、このような複数のメカニズムのジャムの空き流動化アセンブリの粉砕ボールとして、簡略化することができるのかかる電力を削減するためのマシンを簡素化できることから取り出すことができます。
下の粒子の粘度とジャムは、パイプラインの排出と低コストのためのより良いです。しかし、より多くの水が追加された場合、より多くの生成された廃水、より多くの水を消費し、廃棄物の資源を引き起こす粒子とジャムの下限値。発明の複数の固形廃棄物流動コレクタに装備水の割合のアセンブリは、問題のバランスを取ることであり、最良のソリューションを提供しています。また、本発明は、２つの輸送方法を設計し、それは以下を含む：
Ａ．ガス状媒体は流動化、真空ポンプ、空気ポンプとダクトパイプ輸送を介して高濃度＆粘度ポンプの排出により、乾燥流動廃棄物の粒子またはガス状媒質とダクトパイプラインとポンプにより排出され、輸送、高濃度と粘度廃棄物のジャム。水短地区の、それは、水の節約と低い廃水の利点です。しかしコストが高くなっています。それは、ダクト、パイプライン内の粒子とジャムを排出させるより多くの電力を必要とし、ダクトパイプの直径は、プロジェクトの建設コストが高くなることを意味している、大きいです。
Ｂ．割合の水や液体培地の流動化、液体媒体をポンプとパイプラインの排出。含水廃棄物のジャムが排出し、ポンプ及び液体媒体とダクトパイプラインによって輸送されている場合、それは輸送、プロジェクトの建設と排出簡単に低コストの利点です。しかし、それは少し排水です。
しかし、それらの両方は、衛生、無臭の無汚染されたポリパッケージの汚染の利点を持っており、均一な廃棄物の粒子とジャムを精製し得る。引き起こされる排水は、制御下にあります。ほかに、ＡとＢの両方が相互参照し、指定された使用のために使用することができる。
ダクト配管工事のコストを節約し、削減するための生活市排水システムと施設を共有。市排水は忙しいと２４時間の作業ではありません。効果的に地方自治体の排水を共有するために達することができる地域の管理家で市排水の空き時間を管理し、地域のコレクタに流動廃棄物のジャムとダクトをカットするために住んでいる自治体の排水のパイプラインの最後にスイッチを設定する。プロセスシステムのキャパシティの管理によって、流動廃棄ダクトパイプライン建設のコストと費用を削減するために生きて市町村排水パイプラインと設備を共有する。
９、廃棄物からポリパッケージ材料を除去する、ポリ廃棄物の汚染を排除する、高いと流動均一、シンプレックスの廃棄物の粒子とジャムを取得すると、値を更新し、固形廃棄物の自動化を実現しています。流動廃棄物の粒子とジャムは、流動性とパイプラインの輸送に満たされたため、廃棄物はリサイクルのための高付加価値で均一、シンプレックスコンポーネントの廃棄物を取得、パッケージ材料のなくパイプを通過し、クロス汚染されたポリ材料とを排除できます。腐りかかった廃棄物汚染。流動化粒子とジャムがパイプを通過できるので、それは簡単な装置で制御し、最終的に固体廃棄物の自動化で達するための部屋を、管理しています。
本発明は、流動廃棄物の粒子とジャムを運ぶ、それが廃棄物の値をアップグレードするために排水と混合されて保護、廃棄物の水とコストを削減するための独立したパイプラインシステムを採用しています。
本発明は、パイプライン輸送の資格を満たすために、固体廃棄物を流動化によって、固形廃棄物が流動したと固形廃棄物投棄、収集運搬の自動化を実現レ、ポリパッケージ無料、ユニフォーム、再生可能資源のためのシンプレックスの廃棄物の粒子とジャムを得た。
本発明、自動収集パイプラインの排出及び廃棄物の再生利用のための本発明の方法および装置焦点を固体廃棄物のフォーカス固形廃棄物を削除して自動収集パイプラインの排出及びポリパッケージ、特に都市ごみ、容易に投下、自動的に収集、長距離輸送、最終的に廃棄物からポリパッケージを削除し、均一の取得や更新のためのシンプレックスの廃棄物の粒子とジャムのための方法および装置とリソース。それは、ＪＰ２０００−０２４６３０ＡとＣＮ１８６８９３３Ａとは異なります，本発明は、固形廃棄物の収集ポリパッケージ材料を除去する、長距離用の小口径のパイプを通って輸送し、高い価値のある濃度で単純有機性廃棄物を得るための最適なソリューションを提供します。本発明の利点は以下の通りである：
Ａ．すべての固形廃棄物の自動化の現実を作る。現代の世界では、すべてが自動的に行われます、マニュアルコレクションを持つ最後のものは固形廃棄物です。技術はすべての固体廃棄物の自動化を実現。それは、主に居住者、産業や自治体の責任を軽減しています。それは、主に社会開発、経済発展と文明の発展を推進していきます。
Ｂ．技術は完全に固体廃棄物の汚染を除去します。それは、ポリパッケージを使用しての時間を変更するポリパッケージを保存し、環境へのリスク大汚染されたポリパッケージ材料を防止する。
Ｃ．それはすべての固体廃棄物の再生可能になります。それは、埋立地に設定されている多くの土地を保存し、自治体のための廃棄物処理の課題のソリューションを提供しています。
Ｄ．それは、固形廃棄物から利益を作成します。技術は、単語の経済の持続的発展を強化するために、自然のリソースを置き換える高いリサイクルのための価値と資源を持つ均一な、シンプレックスコンポーネントの廃棄物を生成します。それはコレクターの流動化、複数の固形廃棄物のブランドの新たな市場のニーズを開発した。これは、コンピュータ、家電に関連する数千の家族、産業と自治体を好きになる。
Ｅ．それは、埋立地、腐りかかった固形廃棄物汚染、ポリ汚染からの温室効果ガスの排出がなくなり、多くの土地を節約できます。
Ｆ．ダクト松線の直径を減らす。試験は、１直径２ｃｍのパイプは２００ｍの距離の５ｍ／ｓｅｃと流動廃棄物のジャムを行うには十分であることを、示す結果。開示他と比較すると、本発明は、パイプライン建設のコストを削減する長距離輸送のために小さな直径のパイプを使用。
描画と例とイラスト：
図１、本発明に係る固体廃棄物の処分方法の手順の図は、構成されます。それぞれのコンテナにソートされたポリごみ、紙くず、および生分解性固体廃棄物を置く（１）、コレクタを流動発明の複数の固形廃棄物は、家屋、建物および産業用ユニットとして、屋内の設定。（２）、本発明は、このような沿道、公園や公共の広場などのアウトドアコレクタセットを、流動化、複数の固形廃棄物を組み合わせる。発明の複数の固形廃棄物流動コレクタによって容器の廃棄物を流動化、発明の固形廃棄物流動コレクタを接続する（３）、（３ａ）、（３ｂ）のダクトパイプを介して、ポンプと真空ポンプ（４）それぞれに入る流動廃棄物の粒子とジャムを、排出運転と運搬、（４ａ）及び（４ｂ）の地域の収集タンク、リサイクルのために行く有用な食品廃棄物の粒子とジャムを、車やポンプ＆真空ポンプ（６）ダクトパイプ（５）廃棄物を輸送する工場を更新するために流動ポリごみと紙ごみ（１４）、および（１５）リサイクルとバイオ精製のための飼料工場。生分解性粒子とジャムはするつもり（７）、連続したメタンは、プールを生成し、（１０ａ）、独立した重力はフィルタ脱水＆メタン室を生成して圧縮する。メタン（８）によって収集し、精製、パイプや燃料の精製室（９）、灌漑用のファームに消毒後の汚泥（１２）、他の汚泥は、脱水チャンバー（１０）に行くとのために重力圧縮フィルタ脱水チャンバーにより脱水有機肥料、そして燃料のためのさらに炭化、リサイクルおよび排出用のフィルターと活性炭画面のチャンバー（１３）で精製排水。地域の管理の部屋は（１６）地域の自治体の排水システムは、施設の空き時間を共有し、プロセスのキャパシティを管理するプロセスのシステムを制御する。農村地域のニーズを満たし、パイプライン建設のコストを削減するために、流動廃棄物は、独立したメタン生成プール（７ａ）、パイプ（８）によって収集されるメタンに直接排出することができる、汚泥は、灌漑のために庭（１２ａ）に運ばれ、バイオ精製。
図２、本発明によれば、コレクタを流動化、複数の固形廃棄物の断面図。図では、複数の固形廃棄物流動コレクタは、（２０１）、廃棄物の容器を含む、（２０２）、自動洗浄と脱臭気のアセンブリ、（２０３）、安全に電源スイッチと自動リッドオープナー赤外線センサーの組立、（２０４）、メインボード、遠隔制御システムと情報交換アセンブリー（２０５）、タイマー、（２０６）、蓋、（２０７）、自動水の割合のアセンブリー（２０８）、複数のメカニズムジャムフリー流動化アセンブリ、垂直ブレード（２０８ｅ）、インデントを回転させる複数の等角、ディスク（２０８ｄ）上に固定された複数の等角固定された複数の柔軟な弓形のクロスセクションブレード（２０８ａ）、粉々にボール（２０８ｂ）、回転可能なシャフト／スイベルジョイント（２０８ｃ）を含み、そのエッジ、セレーション面研削ディスク（２０８ｆ）、複数の等角固定、柔軟なバッフル＆カット（２０８ｇ）、低インデントのカットふるい（２０８ｈ）、（２０９）、ポンプ、真空吸引器、吸引室、（２１０）、消音。（２１１）、重量センサ、（２１２）、フットステップのオープナー、（２１３）、ぎっしり吸収剤（２１４）、モータ；（２１５）、自動アウトレットバルブ、（２１６）、直接オーガー型デポ；（２１７）、ヒーター。
図３に、本発明構成によれば、独立した住宅と商業、工業単位のための生分解性廃棄物の処理方法の手順を示す図。にすべての廃棄物を入れる（３０１）、コレクタを流動発明の複数の固形廃棄物は、（３０２）、接続管、粒子および（３０３）に排出ジャムを通じて、流動均一な粒子とジャムに廃棄物を流動化、屋内と屋外の設定、その後（３０４）、メタンはチャンバーを生成するために行く、そして最後に（３０５）、汚泥槽に行く、チャンバーを収集する。を通じて（３０６）、ダクト配管、（３０７）、に汚泥とスラッジ（３０８）輸送ポンプ、両方（３０９）スプレーによって、表面の灌漑と（３１０）のための庭と裏庭には、地下灌漑の下に除去するために臭いの。メタンは（３１１）、精製チャンバーにより精製し、燃料用（３１２）、メタンのコレクタに輸送。
図４、独立した重力の断面図は、本発明に係るチャンバーを生成するフィルタ脱水し、メタンを圧縮。を通じて（４０１）、ダクト配管、（４０２）、流動廃棄物や汚泥は、脱水シリンダー内に注入されるされ、発酵後に、メタンは、（４０７）でメタンのコレクタを収集。汚泥重力圧縮によって強制的に、排水は（４０４）、排水のコレクターにして、廃水の浄化チャンバーに（４０３）、フィルター壁を通って行く。臭いは（４０５）、ホルダー＆脱臭気のチャンバー内に閉じ込められた。フィルタの円弧は、（４０６）、ジョイントとリンクと（４０８）、保持フレームでシリンダを形成。
図５、コレクタを流動化側オーガタイプのデポに複数の廃棄物の断面図を示す図。
図では、（５０１）廃棄物のコンテナであり、（５０２）複数の柔軟な弓形のクロスセクションブレードであり、（５０３）等角複数のディスク（５０４）に固定され回転可能なシャフト／スイベルジョイント、であり、（５０５）です。カットのリングを回転させ、（５０６）固定ふるいの環であり；（５０７）、セレーションの顔は、ディスクを研削、（５０８）、複数の等角固定、柔軟なバッフル＆カット、（５０９）垂直ブレードを回転させ、複数の等角固定です。（５１０）、ポンプ、真空吸引器、吸引アセンブリー（５１１）、サイドは、オーガタイプのデポ、（５１２）、流動廃棄物のアウトレット；（５１３）、モーター。モーター（５１３）、コンテナ内の廃棄物（５０１）によって駆動は、円弧状のクロスセクションブレード（５０２）と垂直ブレード（５０９）によって切断されるとバッフル（５０８）とセレーション面研削ディスク（５０７）に強制されること流動化粒子とジャムにそれを挽く、繊維は回転カットリング（５０５）と、固定ふるいのリング（５０６）カットに行くと均一な流動廃棄物の粒子にフィルタリングしてサイドオーガタイプのデポに入って強制的にされ、そのれます地域の収集タンクにアウトレット（５１２）を通過する吸引アセンブリ（５１０）とによってドライブです。側オーガタイプのデポでは、複数のメカニズムのジャムは無料、アセンブリを流動化する複数の柔軟な弓形のクロスセクションブレード（５０２）、回転可能なシャフト（５０３）、ディスク（５０４）、回転カットリング（５０５）、固定ふるいのリング（５０６から構成さ）、セレーションの表面研削ディスク（５０７）、複数の等角固定、柔軟なバッフル＆カット（５０８）、および複数の等角固定回転垂直ブレード（５０９）。
図６、図は、複数のメカニズムジャムフリー流動化アセンブリとコレクタの媒体循環の断面図を示しています。図では、（６０１）廃棄物の容器である、（６０２）複数の柔軟な弓形のクロスセクションブレードであり、（６０３）複数の等角である回転可能なシャフト／スイベルジョイント、なのはディスク（６０４）に固定された（６０５）です。カットのリングを回転させ、（６０６と）穴の直径は、廃棄物の粒子とジャムの粒度を制御する、固定ふるい＆カット環であり；（６０７）、セレーション面研削ディスク、（６０８）、複数の等角固定、柔軟なバッフル＆カットは、（６０９）縦型ブレードを回転させ、複数の等角固定であり、（６１０）、モーター。（６１１）、媒体循環。コレクタで複数のメカニズムジャムフリー流動化による媒体の運転は、循環を形成し、強制的に容器内の廃棄物が削減され、破砕研磨と設計された粒度に繰り返しスクリーニング。
例１
発明の複数の固形廃棄物流動コレクターの容器（２０１）にココナッツ、草、盆踊り、および食品廃棄物の２０キロ雑多なごみを入れ、電源スイッチをオンにし、タイマーを設定し、発明の複数の固形廃棄物は、比で自動的に水をコレクタを流動化。２０Ｌの水には、コンテナに追加、それぞれの３０秒が断続的に設定するプログラムを記載のモータの電源をオンに、モータは、複数のメカニズムジャムフリー流動化アセンブリ（２０８）カット、、粉々に破砕、および５分間のコンテナに廃棄物を粉砕して、ドライブ、チャンバー（２０９）でポンプと真空吸引器のクラッチのメインボードターン、および出口弁（２１５）、モーターで駆動、ポンプ及び真空吸引器は、収集タンク（４）に容器から流動廃棄物のジャムを排出してください。低のカットとスクリーニングによってカット＆スクリーン（２０８ｈ）は、インデント、４０キロ均一な流動廃棄物のジャムを得る。コンテナ内の廃棄物の１００％が粉砕し、コンテナ内のこれ以上の無駄カットされていないと左。自動洗浄と脱臭気のアセンブリ（２０２）プログラミングがオンになり、噴霧水、洗濯の０．５Ｌ−１Ｌ及び容器を洗浄。オゾン発生器と炭素の吸収は、自動的にコンテナ内の臭気を、排除する、プロセスは、機構のジャムなしで非常に静かにスムーズに動きます。均一な流動廃棄物のジャムは、メタンがプール（７）を生成するために輸送される。７５日後に、メタンの６．８キューブのメーターが収集。匂いなしで地上灌漑のために庭に運ば殺菌後に汚泥。
例２：
グリーンハウスのモジュール；固形家庭廃棄物は、収集した廃水と均一な廃棄物のジャムにコレクタを流動化、複数の固形廃棄物で粉砕し、プールを生成するメタンに排出、メタンは、ダクト配管を介して収集し、燃料用に精製した。汚泥や排水は芝生、花と庭の植物を灌漑。収穫の草、野菜と家庭用のごみと一緒に庭のゴミは、複数の固形廃棄物の流動化の廃棄物のジャムにコレクタとによって粉砕されています、メタンのプールを生成するメタンに排出、そのフォーム緑色の円形を。
例３、工業用アプリケーション：
一般廃棄物のほとんどが住居から来る、産業と商業の単位は、家庭廃棄物、高分子廃棄物、紙の廃棄物を構成しています。キッチン、産業や公共の広場でコレクターを流動化を組み合わせた複数の廃棄物を設定する。誰かが、コレクターの流動化、複数の固形廃棄物の近くで起こっているときに、赤外線センサアセンブリは、電源スイッチを遮断し、コレクターの流動化、複数の固形廃棄物の蓋を開きます。別々に生分解性廃棄物、コレクターの流動化を組みみ合わせた複数の固形廃棄物の指定容器に高分子廃棄物や紙の無駄を置く。セットの容量または時間に蓄積した後、水の割合のアセンブリがオンになり、水を比例しています。それぞれのコンテナに別のとれた水を加え、モーターで駆動する、複数の固形廃棄物の流動化アセンブリ（２０８）コレクターを流動化、それぞれ均一ウェットジャム、２．５センチメートル直径のパイプライン輸送を満たすように設計された乾燥した廃棄物の粒子へのコンテナと紙の廃棄物中のポリマーの廃棄物に生分解性廃棄物を流動化；コンテナのそれぞれの下に設定自動出口弁、および自動出口弁のすべてを接続して２．５センチメートル直径のパイプを築き上げパイプライン（３）を通じて、パイプラインの最後に自動的にスイッチを設定する、または地域の収集タンク（４）、（４ａ）の前に、と（図４ｂ）、コレクターの流動化、複数の固形廃棄物に設定されているメインボード、遠隔制御システムと情報交換アセンブリを介して管理の部屋（１６）の制御、流動廃棄物の粒子とジャムがそれに応じて同じパブリックパイプラインを通って排気されることによって：
午後９時、生分解性容器の出口弁を開放し、地域の生分解性廃棄物へのスイッチはタンク（４）収集ターニング、流動生分解性廃棄物のジャムのすべては地域の生分解性廃棄物にパイプライン（３）を通過吸引タンク（４）とを収集することによって排気され、再生可能な均一な生分解性廃棄物を得。
午後１０時で、後は、水を噴霧することによってパイプラインをきれいに、高分子廃棄物の容器の出口弁を開放し、地域の高分子廃棄物へのスイッチを回すと、タンク（４ａ）を収集する、流動性高分子廃棄物の粒子のすべては、吸引が（４ａ）タンクを収集し、地域高分子廃棄物にパイプライン（３）を通過するとによって排気され、再生可能な均一な高分子廃棄物を得。
１１：００ｐｍに、紙の廃棄物容器の出口弁を開放し、地方紙の無駄にスイッチを回すと、タンク（４Ｂ）を収集する，コンテナ内の流動紙の廃棄物の粒子は吸引は（４ｂ）のタンクを収集する地域の紙ごみにパイプライン（３）を通過するとによって排気され、再生可能な均一な紙の廃棄物を得。
それは、同じパブリックパイプラインを共有するに達しました。
それぞれ値はな、再生可能資源のための対応するリサイクルプラント（１４）と（１５）に高分子廃棄物の粒子と紙ごみの粒子を輸送。
生分解性廃棄物のジャムが直接重力圧縮フィルタ脱水槽（１０ａ）へとメタン間発酵行くポンプで２．５センチメートル直径のパイプラインを通って運ばれる。発酵７０日後に、メタンはメタンの収集チャンバー（４０７）で採取されており、燃料用のパイプを通って運ば。排水は、排水のコレクタ（４０４）にフィルタ壁（４０３）を通過し、そして土壌少なく成長の液体のために消毒されています。汚泥は有機肥料のための重力によって脱水される。
それは、廃棄物のすべての種類が完全にリサイクルし、更新されていることを達した。それは再生可能な均一な流動物を得たポリマーのパッケージなしで、パイプラインを通過する廃棄物を作ったため、現在のマニュアルの廃棄物収集システムと廃棄物管理を置き換えることが期待されます。それは居住者、産業や自治体の責任を軽減する固形廃棄物の自動化に達している。
2012521293.tif 000003
2012521293.tif 000004
2012521293.tif 000005
2012521293.tif 000006
2012521293.tif 000007
【図１】
2012521293.tif 000008
【図２】
2012521293.tif 000009
【図３】
2012521293.tif 000010
【図４】
2012521293.tif 000011
【図５】
2012521293.tif 000012
【図６】
2012521293.tif 000013
【国際調査報告】
2012521293.tif 000014
2012521293.tif 000015
2012521293.tif 000016
2012521293.tif 000017